(57)【要約】【課題】本発明の第一の目的は、金種別のつり銭補給を迅速に行うことができる硬貨入出金装置の硬貨補給装置を提供することである。本発明の第二の目的は、他の金種別硬貨保留装置に誤補給しない硬貨入出金装置の硬貨補給装置を提供することにある。本発明の第三の目的は、金種別のつり銭補給を迅速に行うことができ、かつ、他の金種別硬貨保留装置に誤補給しない硬貨入出金装置の硬貨補給装置を安価に提供することを目的とする。【解決手段】  移送経路を移動する硬貨を金種別に選別し、個別の案内通路を通過させて金種別硬貨保留部に保留し、払出指示に基づいて前記金種別硬貨保留部から所定金種を所定数払い出すようにした硬貨入出金装置において、前記金種別硬貨保留部に個別に連通する金種別硬貨補給口を設けたことを特徴とする硬貨入出金装置の硬貨補給装置である。【選択図】  図１
2007233530.tif 000002
【特許請求の範囲】
【請求項１】
移送経路を移動する硬貨を金種別に選別し、個別の案内通路(162、164、166、168、170、172)を通過させて金種別硬貨保留部(108)に保留し、払出指示に基づいて前記金種別硬貨保留部から所定金種を所定数払い出すようにした硬貨入出金装置において、
前記金種別硬貨保留部に個別に連通する金種別硬貨補給口(214、216、218、220、222、224)を設けたことを特徴とする硬貨入出金装置の硬貨補給装置。
【請求項２】
前記金種別硬貨補給口は、前記案内通路に連通されていることを特徴とする請求項１に記載の硬貨入出金装置の硬貨補給装置。
【請求項３】
前記金種別硬貨補給口は、前記硬貨補給口を閉口及び開口するシャッタ(262、264、266、268、270)を有することを特徴とする請求項１または２に記載の硬貨入出金装置の硬貨補給装置。
【請求項４】
前記シャッタは他のシャッタの開閉と連動して閉開されることを特徴とする請求項３に記載の硬貨入出金装置の硬貨補給装置。
【請求項５】
前記各硬貨補給口は上向きに開口し、かつ、横方向に一列に配置され、前記各シャッタは前記硬貨補給口に対応する幅を有する板状、かつ、同一平面内において前記硬貨補給口の列に沿って移動可能に構成され、隣接するシャッタによって押動されることを特徴とする請求項４に記載の硬貨入出金装置の硬貨補給装置。
【発明の詳細な説明】
【技術分野】
【０００１】
本発明は、代金支払いのため等に使用される硬貨入出金装置に関する。
特に、複数金種の硬貨が混在した状態で硬貨受入装置に硬貨を受入れ、受入れた硬貨を金種毎に選別して保留し、当該保留した硬貨を払出指令に基づいて所定の金種を所定数払い出すようにした硬貨入出金装置に関する。
さらに詳細には、硬貨を金種別の保留部に迅速に補給できる硬貨入出金装置の硬貨補給装置に関する。
【背景技術】
【０００２】
従来技術として、硬貨受入装置に複数金種が混在した状態で受入れ、当該硬貨を一つずつ区分けして移送経路を移動する過程において金種別に選別し、個別の案内通路を通過させて金種別硬貨保留部に保留し、払出指示に基づいて前記金種別硬貨保留部から所定金種を所定数払い出すようにした硬貨入出金装置が知られている。（例えば、特許文献１参照）
【０００３】
【特許文献１】特許第3368313号(図１−図６、2頁−4頁)
【発明の開示】
【発明が解決しようとする課題】
【０００４】
ところで、前記硬貨入出金装置の稼働に先立って、つり銭用の硬貨を金種別硬貨保留部に保留する必要がある。
通常、このつり銭硬貨補充は、入金装置の硬貨受入装置に各金種毎に所定数の硬貨を投入することにより行っている。
入金装置は代金の投入を想定して構成されているため、単位時間当たりの処理能力には上限がある。
そのため、前記つり銭用硬貨の補給に時間を要し、改善が要望されていた。
【０００５】
この改善のため、入金装置の処理能力をつり銭補給に要求される単位時間あたりの処理能力まで高めることが考えられる。
しかし、通常の代金処理能力に対しオーバースペックになるため、コスト高になるという問題があり、俄に採用できない。
【０００６】
本発明の第一の目的は、金種別のつり銭補給を迅速に行うことができる硬貨入出金装置の硬貨補給装置を提供することである。
本発明の第二の目的は、他の金種別硬貨保留装置に誤補給しない硬貨入出金装置の硬貨補給装置を提供することにある。
本発明の第三の目的は、金種別のつり銭補給を迅速に行うことができ、かつ、他の金種別硬貨保留装置に誤補給しない硬貨入出金装置の硬貨補給装置を安価に提供することを目的とする。
【課題を解決するための手段】
【０００７】
この目的を達成するため、本発明にかかる硬貨入出金装置の硬貨補給装置は以下のように構成される。
請求項１の発明は、移送経路を移動する硬貨を金種別に選別し、個別の案内通路を通過させて金種別硬貨保留部に保留し、払出指示に基づいて前記金種別硬貨保留部から所定金種を所定数払い出すようにした硬貨入出金装置において、前記金種別硬貨保留部に個別に連通する金種別硬貨補給口を設けたことを特徴とする硬貨入出金装置の硬貨補給装置である。
請求項２の発明は、前記金種別硬貨補給口は、前記案内通路に連通されていることを特徴とする請求項１に記載の硬貨入出金装置の硬貨補給装置である。
請求項３の発明は、前記金種別硬貨補給口は、前記補給口を閉口及び開口するシャッタを有することを特徴とする請求項１または２に記載の硬貨入出金装置の硬貨補給装置である。
請求項４の発明は、前記シャッタは他のシャッタの補給口の開閉と連動して閉開されることを特徴とする請求項３に記載の硬貨入出金装置の硬貨補給装置である。
請求項５の発明は、前記各補給口は上向きに開口し、かつ、横方向に一列に配置され、前記各シャッタは前記補給口に対応する幅を有する板状、かつ、同一平面内において前記補給口の列に沿って移動可能に構成され、隣接するシャッタによって押動されることを特徴とする請求項４に記載の硬貨入出金装置の硬貨補給装置である。
【発明の効果】
【０００８】
この構成によれば、硬貨受入装置に受入れた硬貨は、硬貨が移送通路を移動する過程において金種別に選別される。
金種別に選別された硬貨は個別の案内通路を通って金種別の硬貨保留部に保留される。
一方、金種別硬貨補給口は金種別硬貨保留部に連通している。
したがって、金種別硬貨補給口に所定の金種を所定数補給することにより、金種別硬貨保留部に所定金種の硬貨を所定数、迅速に補給できる。
【０００９】
また、金種別硬貨補給口は選別部と金種別硬貨保留装置とを連通する案内通路に連通されている。
よって、金種別補給口に補給された補給硬貨は、案内通路を通って金種別硬貨保留装置に補給される。
したがって、金種別硬貨補給口から金種別硬貨保留装置への案内通路を共用できるので、設置スペースを小さくし、かつ、安価に構成することができる。
【００１０】
また、金種別硬貨補給口を開閉するシャッタを備えているので、必要な金種別硬貨補給口のみを開口することができる。
シャッタを移動することにより、補給する金種に対応する金種別硬貨補給口を開口し、その他の金種の金種別硬貨補給口を閉口する。
これにより、供給する金種以外の金種別硬貨補給口に別金種の硬貨が投入されることが無い利点を有する。
【００１１】
また、前記シャッタは他のシャッタの金種別硬貨補給口の開閉口と連動して金種別硬貨補給口を閉開口する。
換言すれば、所定の金種の金種別硬貨補給口のシャッタの開口操作をした場合、他の金種の金種別硬貨補給口のシャッタは閉口される。
したがって、一金種の開口操作により他の金種の金種別硬貨補給口が自動的に閉口されるので、供給する金種以外の金種別硬貨補給口に別金種の硬貨が入り込むことが無い利点を有する。
【００１２】
また、前記各金種別硬貨補給口は上向きに開口し、かつ、横方向に一列に配置され、前記各シャッタは前記金種別硬貨補給口に対応する幅を有する板状、かつ、同一平面内において前記金種別硬貨補給口の列に沿って移動可能に構成され、隣接するシャッタによって押動される。
これにより、所定位置のシャッタをスライドさせて所定金種の金種別硬貨補給口を開口した場合、当該シャッタにより隣接する金種別硬貨補給口のシャッタが押されて移動され、隣接する金種の金種別硬貨補給口が閉じられる。
それによって隣接する金種別硬貨補給口のシャッタも移動されるので、対応する金種別硬貨補給口が閉口される。
よって、簡単な装置により自動的に補給されない金種別硬貨補給口が閉口されるので、異なる金種が金種別保留装置に補給されることがない利点を有する。
【発明を実施するための最良の形態】
【００１３】
移送経路を移動する硬貨を金種別に選別し、個別の案内通路を通過させて金種別硬貨保留部に保留し、払出指示に基づいて前記金種別硬貨保留部から所定金種を所定数払い出すようにした硬貨入出金装置において、前記金種別硬貨保留部に個別に連通する金種別硬貨補給口を設け、前記金種別硬貨補給口は、前記案内通路に連通され、かつ、前記金種別硬貨補給口を閉口及び開口するシャッタを有し、前記シャッタは他のシャッタの金種別硬貨補給口の開閉口と連動して閉開され、前記金種別硬貨補給口は上向きに開口し、かつ、横方向に一列に配置され、前記各シャッタは前記金種別硬貨補給口に対応する幅を有する板状、かつ、同一平面内において前記金種別硬貨補給口の列に沿って移動可能に構成され、隣接するシャッタによって押動されることを特徴とする硬貨入出金装置の硬貨補給装置である。
【実施例】
【００１４】
図１は、本発明の実施例の硬貨補給装置を備えた硬貨入出金装置を示す正面斜視図である。
図２は、本発明の実施例の硬貨補給装置を備えた硬貨入出金装置を示す背面斜視図である。
図３は、本発明の実施例の硬貨補給装置を備えた硬貨入出金装置を示す平面図である。
図４は、図３におけるＹ−Ｙ線断面図である。
図５は、図３におけるＸ−Ｘ線断面図である。
図６は、本発明の実施例の硬貨補給装置を備えた硬貨入出金装置に使用するホッパの斜視図である。
図７は、本発明の実施例の硬貨補給装置を備えた硬貨入出金装置のシャッタ装置の作用説明図である。
【００１５】
硬貨入出金装置100は、箱形であり、例えばスパーマーケットやガソリンスタンドのレジスタに隣接配置され、若しくは、紙幣及び硬貨による精算機等に内蔵され、代金としてのコインを受入れ、受け入れた貨幣と代金との差額を釣銭として払い出す機能を有する。
硬貨入出金装置100は、少なくとも硬貨受入装置102、硬貨判別装置104、硬貨選別装置106、金種別金種別硬貨保留部108、硬貨搬出装置110及び硬貨受取部112を含んでいる。
【００１６】
初めに硬貨受入装置102を説明する。
硬貨受入装置102は、硬貨をバラ状態で受け入れ、一つずつ分離して硬貨を一列に並べて所定の方向に搬送する機能を有する。
硬貨受入装置102は、例えば、特許第3368313号に開示される分別ユニットを使用するのが好ましい。
【００１７】
次に硬貨判別装置104を説明する。
硬貨判別装置104は、硬貨受入装置102から一枚ずつ送られる硬貨の少なくとも真偽を判別する機能を有するが、硬貨の金種を判別する機能を備えていてもよい。
硬貨判別装置104によって偽貨と判別された硬貨は、硬貨搬出装置110によって硬貨受取部112へ搬送される。
硬貨判別装置104は、例えば、特許第3368313号に開示されるセレクタを使用するのが好ましい。
【００１８】
次に硬貨選別装置106を説明する。
硬貨選別装置106は、硬貨判別装置104で真正と判別された硬貨を、金種別に振り分ける機能を有する。
硬貨選別装置106は、搬送装置(図示せず)及び金種選別装置120を備えている。
搬送装置は、硬貨判別装置104から送り出された硬貨を所定の間隔で硬貨判別装置104から離れる方向に搬送する機能を有する。
搬送装置は、例えば、特許第3368313号に開示されるカバー装置ユニットを使用するのが好ましい。
金種選別装置120は、搬送装置によって一方向へ搬送される硬貨を、所定の位置において所定の金種を選別する機能を有する。
本実施例では、硬貨の直径により選別する機械式選別装置を採用しているので、金種判別装置104側から順に1円用選別部122、50円用選別部124、5円用選別部126、100円用選別部128、10円用選別部130及び500円用選別部132の順に配置されている。
金種選別装置120は、例えば、特許第3368313号に開示される窓穴を使用するのが好ましい。
金種選別装置120は、硬貨判別装置104で判別した金種に基づいてアクチュエータを作動させ、所定位置において所定金種の硬貨を強制的に選別することができる。
この場合、金種の選別順位は任意に設定できる。
【００１９】
次に金種別硬貨保留部108を説明する。
金種別硬貨保留部108は、金種選別装置120によって金種毎に選別された硬貨を金種毎に保留する機能を有する。
本実施例において金種別硬貨保留部108は、金種毎に硬貨を保留する1円用ホッパ140、50円用ホッパ142、5円用ホッパ144、100円用ホッパ146、10円用ホッパ148及び500円用ホッパ150を含んでいる。
これらホッパは同一構成であり、例えば図6に示すように保留ボウル152及び保留ボウル152の底部に通孔154を有する回転ディスク156を有し、回転ディスク156の回転により、硬貨を一枚ずつ払出口157から払出す回転ディスク式ホッパを用いることが好ましい。
金種別硬貨保留部108は、硬貨選別装置106の下方に配置され、本実施例では上下に配置されている第一階層158及び第二階層160の二階層に分けて前記ホッパ140、142、144、146、148及び150が配置されている。
第一階層158には、50円用ホッパ142、100円用ホッパ146及び10円用ホッパ148が所定の間隔で配置されている。
第二階層160には、１円用ホッパ140、５円用ホッパ144及び500円用ホッパ150が所定の間隔で配置されている。
【００２０】
１円用選別部122の真下に１円用ホッパ140の保留ボウル152の上部開口161が配置され、上下方向に伸びる案内通路162によって連通されている。
したがって、１円用選別部122において選別された１円は、1円案内通路162を落下して１円用ホッパ140の保留ボウル152にバラ状態で保留される。
50円用選別部124の真下に50円用ホッパ142が配置され、上下方向に伸びる50円案内通路164によって保留ボウル152の上部開口161と連通されている。
したがって、50円用選別部124において選別された50円は、50円案内通路164を落下して50円用ホッパ142の保留ボウル152にバラ状態で保留される。
5円用選別部126の真下に5円用ホッパ144が配置され、5円案内通路166によってその上部開口161と5円用選別部126とが連通されている。
したがって、5円用選別部126において選別された5円は、5円案内通路166を落下して5円用ホッパ144の保留ボウル152にバラ状態で保留される。
100円用選別部128の真下に100円用ホッパ146が配置され、100円案内通路168によってその上部開口161と100円用選別部128が連通されている。
したがって、100円用選別部128において選別された100円硬貨は、100円案内通路168を落下して100円用ホッパ144の保留ボウル152にバラ状態で保留される。
10円用選別部130の真下に10円用ホッパ148が配置され、10円案内通路170によってその上部開口161と10円用選別部130が連通されている。
したがって、10円用選別部130において選別された10円は、10円案内通路170を落下して10円用ホッパ148の保留ボウル152にバラ状態で保留される。
500円用選別部132の真下に500円用ホッパ150が配置され、500円案内通路172によってその上部開口161と500円用選別部132が連通されている。
したがって、500円用選別部132において選別された500円は、案内通路172を落下して500円用ホッパ150の保留ボウル152にバラ状態で保留される。
【００２１】
次に硬貨搬出装置110を説明する。
硬貨搬出装置110は、各ホッパ140、142、144、146、148、150から払い出された硬貨を硬貨受け取り部112に搬送する機能を有する。
硬貨搬出装置110は、金種別硬貨保留部108に沿って配置されたベルト180であり、ホッパ140、142、144、146、148、150の払い出し処理に連動して硬貨受取部112に向かって移動される。
各ホッパ140、142、144、146、148、150から払い出された硬貨は、ベルト180によって硬貨受取部112に向かって搬送される。
【００２２】
次に硬貨受取部112を説明する。
硬貨受取部112は、硬貨搬出装置110によって搬送された硬貨を利用者が取出し易いように保留しておく機能を有する。
硬貨受取部112は、上部が円形に開口した椀状である。
【００２３】
次に本発明にかかる硬貨補給装置200を説明する。
硬貨補給装置200は、金種別硬貨保留部108の各ホッパ140、142、144、146、148、150に金種別に硬貨を補給する機能を有する。
硬貨補給装置200は、金種別硬貨保留部108に個別に連通する硬貨補給口装置202及び金種別の案内通路162、164、166、168、170、172に連通する１円誘導路204、50円誘導路206、5円誘導路208、100円誘導路210、10円誘導路212及び500円誘導路214を有する。
硬貨補給口装置202は、金種別の１円用金種別硬貨補給口214、50円用金種別硬貨補給口216、5円用金種別硬貨補給口218、100円用金種別硬貨補給口220、10円用金種別硬貨補給口222及び500円用金種別硬貨補給口224を有している。
これら金種別硬貨補給口214、216、218、220、222、224は、金種毎に硬貨を受け入れる機能を有し、硬貨がバラ状態で投入可能な大きさに形成されている。
本実施例において、１円用金種別硬貨補給口214、50円用金種別硬貨補給口216、5円用金種別硬貨補給口218、100円用金種別硬貨補給口220、10円用金種別硬貨補給口222及び500円用金種別硬貨補給口224が一枚の水平な補給口規制板226に形成されている。
各用金種別硬貨補給口214、216、218、220、222、224は、矩形であって、かつ、同一寸法で開口され、硬貨選別装置106の各選別部122、124、126、128、130、132の上方に配置されている。
図5に示すように、補給口規制板226の下面に連続して垂直下方に伸びる第一画定板228及び第一画定板228に対し最大径硬貨の直径よりも大きい所定の間隔で平行に垂直下方へ伸びた後、下向き斜面230を有する第二画定板232によって前後を画定し、かつ、第一画定板228及び第二画定板232の間に所定の間隔で配置した仕切り板234、236、238、240、242、244、246、248、250、252、254、256によって、それぞれ垂直に上下方向に伸びる１円誘導路204、50円誘導路206、5円誘導路208、100円誘導路210、10円誘導路212及び500円誘導路214を画定している。
各誘導路204、206、208、210、212、214の各下端部は第一画定板228の下部に形成された開口258を介して各案内通路162、164、166、168、170、172の上端部にそれぞれ連なっている。
換言すれば、斜面230は各選別部122、124、216、128、130、132、134に連なる各案内通路162、164、166、168、170、172の上端部にそれぞれ連なっている。
例えば、1円用金種別硬貨補給口214にバラ状態で投入した1円硬貨は、1円誘導路204に案内されて落下した後斜面230上を滑り落ちて開口258を通って1円案内通路162に落下した後、1円案内通路162に案内されて1円用ホッパ140の保留ボウル152に落下し、バラ状態で保留される。
他の金種の硬貨も同様に保留される。
【００２４】
次にシャッタ装置260を説明する。
シャッタ装置260は、硬貨補給口装置202を構成している。
シャッタ装置260は、選択した硬貨補給口以外の硬貨補給口を自動的に閉じる機能を有する。
本実施例のシャッタ装置260は、補給口規制板226の上面に沿ってスライド可能な第一シャッタ262、第二シャッタ264、第三シャッタ266、第四シャッタ268及び第五シャッタ270、それらシャッタのガイド272及びシャッタストッパ278を含んでいる。
【００２５】
第一シャッタ262、第二シャッタ264、第三シャッタ266、第四シャッタ268及び第五シャッタ270は、矩形板状であって、所定の厚みを有し、対応する金種別硬貨補給口214、216、218、220、222、224を閉口及び開口する機能を有する。
換言すれば、金種別硬貨補給口214、216、218、220、222、224は上向きに開口し、かつ、横方向に硬貨選別装置106に沿って一列に配置され、前記各シャッタ262、264、266、268、270は金種別硬貨補給口214、216、218、220、222、224に対応する幅を有する板状、かつ、同一平面内において金種別硬貨補給口214、216、218、220、222、224の列に沿って移動可能に構成され、隣接するシャッタによって相互に押動される。
第一シャッタ262から第五シャッタ270は、図4に示すように断面台形に形成され、両側端部に上向き斜面271を形成し、隣り合うシャッタ間に断面三角形の空間を形成する。
これにより、何れかのシャッタの上向き斜面271を押すことにより、後述するように当該シャッタは横方向にスライドされる。
【００２６】
ガイド272は、第一画定板228の上端部に形成したチャンネル形の第一ガイドレール274と第二画定板232の上端部に形成したチャンネル形の第二ガイドレール276を含んでいる。
第一ガイドレール274及び第二ガイドレール276のチャンネル部の開口は対向して所定の間隔で平行に配置され、第一シャッタ262、第二シャッタ264、第三シャッタ266、第四シャッタ268及び第五シャッタ270の端部を案内する機能を有する。
第一シャッタ262から第五シャッタ270の両端部は、第一ガイドレール274及び第二ガイドレール276のチャンネル部にスライド可能に挿入されている。
換言すれば、第一シャッタ262から第五シャッタ270は、同一平面内で隣接するシャッタによって補給口規制板226に対し、最も薄い硬貨の厚みよりも狭い間隔でスライドされることができる。
本実施例において、硬貨補給口214、216、218、220、222、224の間隔が異なるため、第一シャッタ262、第二シャッタ264及び第三シャッタ266は同一幅に形成されているが、第四シャッタ268及び第五シャッタ270はそれらよりも幅広の同一幅に形成されている。
【００２７】
次にシャッタストッパ278を説明する。
シャッタストッパ278は、第一シャッタ262が1円用金種別硬貨補給口214を閉口する位置において、一方向への移動が規制される第一シャッタストッパ280及び第五シャッタ270の前記一方向とは反対方向への移動を規制する第二シャッタストッパ282を含んでいる。
換言すれば、第一シャッタストッパ280は第一シャッタ262のガイド272からの脱落を防止する機能も有する。
第二シャッタストッパ282は、第五シャッタ270が500円用金種別硬貨補給口224を閉口した状態で停止し、かつ、第五シャッタ270のガイド272からの脱落を防止する機能を有する。
【００２８】
本実施例において、第一シャッタ262を図7において左方へスライドさせ、第二シャッタ264を同方向へ押動することにより、第三シャッタ266、第四シャッタ268及び第五シャッタ270を左方へ第二シャッタストッパ282に阻止されるまで移動する(図7(B))。
これにより、1円用金種別硬貨補給口214が開口される。
この状態で1円硬貨を所定数、1円用金種別硬貨補給口214に投入した場合、当該1円硬貨は1円誘導路204を落下した後、斜面230を滑落して開口258を通って1円案内通路162に進行した後、当該通路を落下し、1円用ホッパ140の保留ボウル152にバラ状態で保留される。
この状態から第一シャッタ262を図7において右方へ第一シャッタストッパ280に阻止されるまでスライドさせる。
これにより、1円用用金種別硬貨補給口214が第一シャッタ262によって閉口されると共に50円用金種別硬貨補給口216は開口される(図7(B))。
所定数の50円硬貨を50円用金種別硬貨補給口216に投入した場合、投入された50円硬貨は前記1円硬貨と同様に50円用ホッパ142の保留ボウル152に保留される。
この状態から第二シャッタ264を図7において右方へ第一シャッタ262に阻止されるまでスライドさせる。
これにより、50円用金種別硬貨補給口216が第二シャッタ264によって閉口されると共に5円用金種別硬貨補給口218は開口される(図7(C))。
所定数の5円硬貨を5円用金種別硬貨補給口218に投入した場合、投入された5円硬貨は前記1円硬貨と同様に5円用ホッパ144の保留ボウル152に保留される。
この状態から第三シャッタ266を図7において右方へ第二シャッタ264に阻止されるまでスライドさせる。
これにより、5円用用金種別硬貨補給口218が第三シャッタ266によって閉口されると共に100円用金種別硬貨補給口220は開口される(図7(D))。
所定数の100円硬貨を100円用金種別硬貨補給口220に投入した場合、投入された100円硬貨は前記1円硬貨と同様に100円用ホッパ146の保留ボウル152に保留される。
この状態から第四シャッタ268を図7において右方へ第三シャッタ266に阻止されるまでスライドさせる。
これにより、100円用金種別硬貨補給口220が第四シャッタ268によって閉口されると共に10円用金種別硬貨補給口222は開口される(図7(E))。
所定数の10円硬貨を10円用金種別硬貨補給口222に投入した場合、投入された10円硬貨は前記1円硬貨と同様に10円用ホッパ148の保留ボウル152に保留される。
この状態から第五シャッタ270を図7において右方へ第四シャッタ268に阻止されるまでスライドさせる。
これにより、10円用金種別硬貨補給口222が第五シャッタ270によって閉口されると共に500円用金種別硬貨補給口224は開口される(図7(E))。
所定数の500円硬貨を500円用金種別硬貨補給口224に投入した場合、投入された500円硬貨は前記1円硬貨と同様に500円用ホッパ150の保留ボウル152に保留される。
シャッタ装置260を用いることにより、補給金種以外の金種別硬貨補給口は自動的に閉じられるので、所定金種の金種別硬貨補給口に他金種の硬貨が補給されない利点がある。
前述したように本実施例のシャッタ装置260は、手動式であるため、イニシャルコストが低いと共に小型化できる利点がある。
しかし、各シャッタをアクチュエータにより自動的に開閉することができる。
【００２９】
本発明において、シャッタ装置260を配置せず、金種に対応する金種別硬貨補給口のみ配置することができる。
本硬貨入出金装置100をレジの傍らに配置する場合、図１に鎖線で示すように、カバー284で囲われる。
カバー284の天板286に硬貨補給装置200に相対する硬貨補給扉288が一端をヒンジにて回動可能に取り付けられ、他端部は施錠装置290によって施錠される。
本硬貨入出金装置100が精算機等の内部に配置される場合、カバー284は装着しないことが出来る。
【図面の簡単な説明】
【００３０】
【図１】図１は、本発明の実施例の硬貨補給装置を備えた硬貨入出金装置を示す正面斜視図である。
【図２】図２は、本発明の実施例の硬貨補給装置を備えた硬貨入出金装置を示す背面斜視図である。
【図３】図３は、本発明の実施例の硬貨補給装置を備えた硬貨入出金装置を示す平面図である。
【図４】図４は、図３におけるＹ−Ｙ線断面図である。
【図５】図５は、図３におけるＸ−Ｘ線断面図である。
【図６】図６は、本発明の実施例の硬貨補給装置を備えた硬貨入出金装置に使用するホッパの斜視図である。
【図７】図７は、本発明の実施例の硬貨補給装置を備えた硬貨入出金装置のシャッタ装置の作用説明図である。
【符号の説明】
【００３１】
108  硬貨保留部
162、164、166、168、170、172  案内通路
214、216、218、220、222、224  硬貨補給口
262、264、266、268、270  シャッタ
【図１】
2007233530.tif 000003
【図２】
2007233530.tif 000004
【図３】
2007233530.tif 000005
【図４】
2007233530.tif 000006
【図５】
2007233530.tif 000007
【図６】
2007233530.tif 000008
【図７】
2007233530.tif 000009